(57)【要約】【課題】  揮散性薬剤の内部への吸収保持が生じず効率良く薬剤を揮散させることができ、また簡易な構造でありながら、高精度のインジケーター機能を備え、美観にも優れた揮散装置を提供すること。【解決手段】  吸上揮散体及び容器を備えた揮散装置であって、前記吸上揮散体の表面の少なくとも一部に微細凹凸加工が施されるとともに、前記容器内に収容された液体に前記吸上揮散体の一部が接触するように配置されたことを特徴とする揮散装置。【選択図】  図１
2015104409.tif 000002
【特許請求の範囲】
【請求項１】
吸上揮散体及び容器を備えた揮散装置であって、前記吸上揮散体の表面の少なくとも一部に微細凹凸加工が施されるとともに、前記容器内に収容された液体に前記吸上揮散体の一部が接触するように配置されたことを特徴とする揮散装置。
【請求項２】
前記吸上揮散体の微細凹凸加工が施された部分における算術平均表面粗さＲａが７μｍ以上である請求項１記載の揮散装置。
【請求項３】
前記吸上揮散体の微細凹凸加工が施された部分における粗さ曲線要素の平均長さＲｓｍが２２０μｍ以下である請求項１又は２に記載の揮散装置。
【請求項４】
前記微細凹凸加工により前記吸上揮散体表面に形成された凹凸形状が六角格子状である請求項１〜３のいずれかの項記載の揮散装置。
【請求項５】
前記微細凹凸加工がレーザー加工により施されたものである請求項１〜４のいずれかの項記載の揮散装置。
【請求項６】
前記吸上揮散体が板状体である請求項１〜５のいずれかの項記載の揮散装置。
【請求項７】
前記吸上揮散体が前記容器内に起立して設けられたものである請求項１〜６のいずれかの項記載の揮散装置。
【請求項８】
前記液体が、香料、消臭剤、防虫剤、殺虫剤、加湿剤よりなる群から選ばれた揮散性薬剤を含有する薬液である請求項１〜７のいずれかの項記載の揮散装置。
【請求項９】
少なくとも表面の一部に微細凹凸加工を施したことを特徴とする吸上揮散体。
【請求項１０】
吸上作用又は揮散作用のいずれか一方の作用を奏するものである請求項９記載の吸上揮散体。
【請求項１１】
前記吸上揮散体の微細凹凸加工が施された部分における算術平均表面粗さＲａが７μｍ以上である請求項９又は１０記載の吸上揮散体。
【請求項１２】
前記吸上揮散体の微細凹凸加工が施された部分における粗さ曲線要素の平均長さＲｓｍが２２０μｍ以下である請求項９〜１１のいずれかの項記載の吸上揮散体。
【請求項１３】
前記微細凹凸加工により形成された凹凸形状が六角格子状である請求項９〜１２のいずれかの項記載の吸上揮散体。
【請求項１４】
前記微細凹凸加工が、前記吸上揮散体の金型に対してレーザー加工を施したことにより形成されたものである請求項９〜１３のいずれかの項記載の吸上揮散体。
【発明の詳細な説明】
【技術分野】
【０００１】
本発明は揮散装置に関し、更に詳細には、揮散体内部への薬剤の吸収保持を生じないため、薬剤を効率良く揮散させることができ、さらに優れたインジケーター機能と美観を備えた揮散装置に関する。
【背景技術】
【０００２】
従来より、香料、消臭剤、防虫剤等の揮散性薬剤を空間中に揮散させる揮散装置が用いられている。この揮散装置の一般的な構造は、薬液を収容した容器の開口部に、一端部が薬液に浸漬され、他端部が容器の開口部から露出している吸上芯を挿入し、この吸上芯の他端部に揮散体を設置した揮散部材を用いて、内部の薬液を空気中に揮散させるようにしたものである。
【０００３】
吸上芯は、一般にパルプや合成繊維等の繊維を柱状にしたもので、毛細管現象により薬液を吸上げ、揮散体に薬液を導く。揮散体も、通常パルプ等の繊維を熱融着性のバインダー等と混合し熱圧着等の方法により板状にしたもので、吸上芯により導かれた薬液をその表面から揮散させて空間に芳香等を付与する。
【０００４】
この繊維から構成される吸上芯は、吸上げ能力に優れるものであるが、吸上芯内部に揮散性薬剤が吸収保持されやすいため、使用終期には薬剤の揮散速度が低下し、薬剤の効果が十分に発現しない場合があった。また、薬液を収容した容器は、中の薬液の残量が見えるようにするため透明ないしは半透明にする必要があるが、その場合は容器の外部から吸上芯が見えてしまい、美観に影響を与えるという問題もあった。
【０００５】
このような繊維から構成された吸上芯ではなく、ガラス板やプラスチックフィルム等を使用し、その側面に連続した微細孔を設け、毛細管現象により薬液を吸い上げる揮散装置も提案されている（特許文献１）。しかし、この揮散装置は、吸上芯の部分では揮散速度の低下は発生し難いものの、吸上芯と接続する揮散体としては繊維原料から構成される揮散体を使用しているため、揮散体内での揮散速度の低下や美観上の問題はなお解消されずに残されていた。
【０００６】
さらに素焼きの成型体を用い、これに芳香液を含浸させて揮散させるタイプの揮散装置も提案されている（特許文献２）。この成型体でも同様に内部に揮散性薬剤が吸収保持されやすく、揮散効率の面で十分とはいえない場合があった。
【０００７】
一方、薬液の残存量に応じて外観を変化させることにより、薬液の残存状態や終了時期を視覚的に表示させる機能（インジケーター機能）を持たせる試みが提案されている。
【０００８】
例えば、特許文献３には、油透過性材からなる基板材とこの基板材面上に積層された油透過性で光に対し低屈折率の地色層とからなる紙状体およびこの紙状体中に常温揮散性の油液性防虫剤を含浸させた表示器兼用防虫剤が開示されている。更に特許文献４には、液体が付着している間は乾燥時と異なる表面を有する材料に液体を付着させ、この液体の揮発によりその表面が変色するように構成した期間表示具が開示されている。
【０００９】
しかし、これらは構造が複雑であったり、薬剤の終点とインジケーターの終了表示が一致しない場合があるなどの問題を有していた。
【先行技術文献】
【特許文献】
【００１０】
【特許文献１】特開２００１−２０４８０３号公報
【特許文献２】特開平６−２０９９８８号公報
【特許文献３】特開昭６０−２２４６０３号公報
【特許文献４】特開昭５７−１５８６８２号公報
【発明の概要】
【発明が解決しようとする課題】
【００１１】
本発明は、揮散性薬剤の揮散体内部への吸収保持が生じず薬剤を効率良く揮散させることができ、さらに簡易な構造でありながら、精度が高いインジケーター機能を備え、美観にも優れた揮散装置を提供することをその課題とするものである。
【課題を解決するための手段】
【００１２】
本発明者は、上記課題を解決すべく、鋭意検討を行っていたところ、樹脂などから構成される成型体の表面に微細な凹凸加工を施し、その一部を薬液に接触させることにより、当該凹凸加工部分に接触した薬液が安定して吸い上げられるとともに、表面積が増大し、揮散体内部に薬剤が吸収保持されることがないため効率良く揮散され得るとともに揮散装置の小型化が実現できること、また薬液が吸い上げられるのに伴って、微細凹凸加工部分が濡れると不透明な状態から透明になるため、薬液の終点を明確に視認することができ、さらにこのような成型体はそれ自体美観を呈する形態とすることが可能であり、その表面に絵柄や図形などの意匠を施すことによって、より優れた美観を備えたものとなることを見出し本発明を完成させるに至った。
【００１３】
すなわち本発明は、吸上揮散体及び容器を備えた揮散装置であって、前記吸上揮散体の表面の少なくとも一部に微細凹凸加工が施されるとともに、前記容器内に収容された液体に前記吸上揮散体の一部が接触するように配置されたことを特徴とする揮散装置である。
【００１４】
また本発明は、少なくとも表面の一部に微細凹凸加工を施したことを特徴とする吸上揮散体である。
【発明の効果】
【００１５】
本発明の液体揮散装置は、揮散体内部への薬剤の吸収保持が生じず、また表面積が大きいため、小型の装置で安定して薬液を吸上げながら、効率良く薬剤を揮散させることができ、薬剤の効果を十分に発揮させることが可能である。また吸上揮散体表面に形成された微細凹凸部分は、薬液が吸い上げられて濡れると不透明な状態から透明になるため薬液の残存を表示するインジケーターとして機能し、薬液の有無を正確に視認することができる。さらに、吸上揮散体の表面に絵柄や図形などの意匠を施した場合、薬液の吸上に伴って透明になり、意匠が鮮明に浮かび上がるなど視覚効果を与えることができ、美観にも優れるものである。
【図面の簡単な説明】
【００１６】
【図１】本発明揮散装置の一実施形態（実施形態１）の斜視図。
【図２】同構成する吸上揮散体の正面図。
【図３】同上方平面図。
【図４】同背面図。
【図５】同使用状態を示す図。
【図６】本発明揮散装置の一実施形態（実施形態２）の正面図。
【図７】本発明揮散装置の一実施形態（実施形態３）の斜視図。
【図８】本発明揮散装置の一実施形態（実施形態４）の斜視図。
【図９】本発明揮散装置の一実施形態（実施形態５）の斜視図。
【図１０】本発明揮散装置の一実施形態（実施形態６）の斜視図。
【図１１】本発明吸上揮散体の一実施形態（実施形態Ａ）の斜視図。
【図１２】本発明吸上揮散体の一実施形態（実施形態Ｂ）の斜視図。
【図１３ａ】本発明吸上揮散体の一実施形態（実施形態Ｃ）の斜視図。
【図１３ｂ】同使用状態を示す図。
【図１４】製造例１で製造した吸上揮散体１の表面拡大写真。
【図１５】同吸上揮散体２の表面拡大写真。
【図１６】同吸上揮散体３の表面拡大写真。
【図１７】同吸上揮散体４の表面拡大写真。
【図１８】同吸上揮散体５の表面拡大写真。
【図１９】同吸上揮散体６の表面拡大写真。
【図２０】同吸上揮散体７の表面拡大写真。
【図２１】同吸上揮散体７の薬液吸上前（Ａ）と吸上後（Ｂ）の斜めから撮影した表面拡大写真。
【図２２】同吸上揮散体８の表面拡大写真。
【図２３】同吸上揮散体９の表面拡大写真。
【発明を実施するための形態】
【００１７】
以下、本発明のいくつかの実施態様を示す図面を挙げ、本発明を更に詳しく説明する。
【００１８】
図１〜５に示す揮散装置は、容器２内において、吸上揮散体１を容器底面に対し略垂直に起立して設けた態様である（実施形態１）。吸上揮散体１は、樹脂で成型された長方形の板状体である。吸上揮散体１の材質としては、薬剤により変形したり、薬剤を内部に吸収保持し難い素材であればよく、ポリエチレンテレフタレート（ＰＥＴ）、ポリプロピレン（ＰＰ）等の樹脂の他、ガラスや金属等を用いることもできる。また、吸上揮散体１は吸上げ機能と揮散機能を兼ね備えており、少ない部品点数で揮散装置を構成することができるため、安価で製造が容易な揮散装置を作成することができる。
【００１９】
吸上揮散体１の一方の表面には微細凹凸加工が施されている（図４、１ａ）。この微細凹凸加工部分１ａは、一定の表面粗さを備えていることが好ましく、具体的には算術平均表面粗さＲａが７μｍ以上であることが好ましく、９μｍ以上がより好ましい。Ｒａは粗さ曲線を中心線から折り返し、その粗さ曲線と中心線によって得られた面積を長さＬで割った値である。一方、粗さ曲線要素の平均長さＲＳｍは２２０μｍ以下であることが好ましく、１５０μｍ以下であることがより好ましい。ＲＳｍは、基準長さ間の粗さ曲線における１周期の距離の平均値である。Ｒａ及びＲＳｍをこのような範囲とすることにより、薬液の吸上能力が向上し、また揮散効率に優れたものとなる。Ｒａ及びＲＳｍはＪＩＳ  Ｂ  ０６２１：２００１に準拠して、例えば表面粗さ計（ミツトヨ製小型表面粗さ測定機  ＳＪ−２１０）を用いて測定される。
【００２０】
表面粗さを構成する凹凸部の形状としては特に限定されるものではないが、例えば、格子状、六角格子状、木目状等が例示できる。これらのうち吸上能力や揮散効率に優れ、また外観も良好なものとなることから、格子状、六角格子状等が好適である（図１８、２０〜２３）。このような微細凹凸形状は、例えば、樹脂表面にレーザーを照射するか、あるいは金型にレーザーを照射して表面に微細な凹凸形状を設け、この金型を用いて成型することによって吸上揮散体１表面に形成することができる。このようなレーザー加工の他、吸上揮散体１に直接ブラスト加工などの物理的な粗面加工を施したり、金型に電鋳、エッチングや放電加工などの粗面加工を施してもよい。この中でもレーザー加工によれば、微細で均一な格子状ないし六角格子状の凹凸形状を選択的に形成することができる。
【００２１】
このような微細凹凸加工は、吸上揮散体１表面の少なくとも１部に施される。微細凹凸加工を表面全体に対しどの程度施すかは、薬液の物性や内容量、揮散速度等によって適宜設定される。本実施態様では、板状体である吸上揮散体１の一方の表面のほぼ全面に微細凹凸加工処理がされ、表面積が増大し、薬剤が全体から揮散されるため揮散効率が高い。さらに他方の表面や側面に微細凹凸加工を施すこともできる。
【００２２】
容器２の底面には、１対の半円形状の曲面が立設して所定間隔で離隔して対向するように配置された支持部材２ｂが備えられ、この離隔した部分に吸上揮散体１を挿入して容器２の底面に対し略垂直に起立して支持固定される（図３）。容器２内には薬液３が収容され、吸上揮散体１の下方端部及び微細凹凸加工部分１ａの一部が薬液３に浸漬している（図４）。吸上揮散体１表面の微細凹凸加工処理部分１ａから薬液３が徐々に上方に吸い上げられるとともに、表面から薬剤が揮散されていく。薬液３に配合される揮散性薬剤は特に限定されるものではなく、例えば香料、消臭剤、防虫剤、殺虫剤等が挙げられ、これらが吸上揮散体１表面から空間中に揮散されることによってその作用効果が発揮される。一方、界面活性剤などの不揮発成分は、吸上揮散体１の表面に残存すると外観上好ましくないため、配合しないことが望ましい。なお、本発明の揮散装置に使用する液体は、揮散性薬剤を含有する薬液に限られず、吸上揮散体１表面の微細凹凸加工部分１ａに対して拡張ぬれを生じるものであれば特に限定なく使用することが可能である。例えば、水もしくは水に可溶なエタノールなどの添加剤を加えた加湿剤を用いることにより、加湿器として使用することもできる。容器２には蓋体２ａが着脱可能に備えられ、開口部２ｃの開口面積を小さくすることによって液面からの揮散が抑制される。支持部材２ｂは、振動を与えたときの液面の動揺を抑制して外部への液漏れを防止する作用も有する。なお、薬液などの液体はそのままの状態で吸上揮散体１と接触させて吸い上げさせても良いが、液体を別の担体、たとえば、ろ紙やスポンジなどに含浸させたり、吸水性樹脂や吸油性樹脂に吸収させてもよい。また本発明において、吸上揮散体に接触させる液体には、ペースト状やゲル状のものも包含され、適当なゲル化剤により液体をゲル化させたもの、増粘剤を用いて増粘させたものに、吸上揮散体１を接触させて液体を吸い上げ、揮散させるようにしても良い。
【００２３】
吸上揮散体１は、微細凹凸加工により曇りガラスのように不透明であるが、薬液３が吸上げられて微細凹凸部分が濡れると透明になるためインジケーターとして機能する。すなわち、使用開始時は吸上揮散体１の微細凹凸加工部分１ａは不透明な状態であるが、薬液３が吸上げられて当該部分が濡れるのに伴い、下方から透明な部分が徐々に拡大していき、最終的には上方端部にまで到達して微細凹凸加工部分１ａ全体が透明になる（図５、図２１参照）。一方、微細凹凸加工部分１ａからは揮散性薬剤が徐々に空間中に揮散していく。容器２から薬液３が供給されている間は、微細凹凸加工部分１ａは透明な状態を維持するが、薬液３が減少して薬液３が吸上揮散体１に吸い上げられなくなると微細凹凸加工部分１ａにおける透明な部分は徐々に縮小していき、最終的には再び全体が不透明な状態に戻るため、薬液３の終了時点を正確かつ明瞭に認識することができる。このように吸上揮散体１をインジケーターとしても利用する場合には、微細凹凸加工部分１ａの算術平均表面粗さＲａの値が大きく、かつ粗さ曲線要素の平均長さＲＳｍの値が小さいほど、微細凹凸加工部分が濡れていない状態での光学的濁度が向上するため、濡れた状態とのコントラストが明確になり、薬液の有無の視認性が向上する。具体的には、算術平均表面粗さＲａが４μｍ以上、かつ粗さ曲線要素の平均長さＲＳｍが２００μｍ以下であることが好ましい。また、容器２の開口部２ｃから薬液３を補充すれば、再び揮散装置を使用することが可能となる。吸上揮散体１の底部には切り欠け部１ｅが設けられており、吸上揮散体１を挟んで容器内の空間は連通しているため、微細凹凸加工部分１ａが施された面側から薬液３が吸上げられても、他方の面側から薬液３が移行し、両側で薬液３は均等に減少していく。薬液３を補充する際は、開口部２ｃの一方から薬液３を充填すれば、切り欠け部１ｅを通じて反対側にも薬液３が移行するため、補充作業を容易に行える（図２）。
【００２４】
吸上揮散体１の形状は任意であり、板状体としても四角形だけでなく、三角形、円形、楕円形等の任意の形状をとり得る。また板状体の他にも、円柱、三角柱、四角柱等の柱状体や、円錐、三角錐、四角錐、六角錐等の錐状体、球状体、半球状体等任意の形状とすることができる。多面体の場合、１面だけでなく、複数の面に微細凹凸加工を施してもよく、それにより揮散効率の向上が図れる。またその一部に外部と連通する穴を設け、当該部分にも微細凹凸加工を施せば、薬剤の揮散面積が大きくなり揮散効率が向上する。
【００２５】
吸上揮散体１の一方の表面のみに微細凹凸加工を施した場合、他方の表面に絵柄や図形などの任意の意匠を施すことができる。本実施態様では、他方の表面に、３辺を囲み、周囲よりも一段高く盛り上がった凸部１ｃを設けたうえで、凸部１ｃの内側に意匠１ｂが施されている（図２）。揮散装置使用前は不透明であるため意匠１ｂがはっきりと視認できないが、使用時に薬液が吸上げられ、微細凹凸加工部分１ａが濡れて透明になるに伴い、反対の面に施された意匠１ｂが徐々に鮮明に現れてくるため、動的な視覚効果を与えることができる（図５）。
【００２６】
また同一面においても、その一部に絵柄や図形などの意匠を施し、意匠を施した部分又はそれ以外の部分のいずれかにのみ微細凹凸加工処理を行うと、当該部分が濡れた状態と濡れていない状態とにおいて、全体のトーンが変化して異なる印象を与えることができる。
【００２７】
このように本発明の揮散装置は、吸上揮散体の表面に形成された微細凹凸構造により、薬液を吸上げながら、薬剤を揮散させるものであり、表面積が大きく、かつ揮散性薬剤が内部に吸収保持されることがないため、小型化した装置でも効率良く薬剤が揮散してその効力を有効に発現させることができる。
また微細凹凸加工部分は、薬液で濡れることによって透明性が変化するため、インジケーターとして機能するとともに、絵柄や図形などの意匠を施すことによって、動的な視覚効果を付与することが可能である。
【００２８】
図６は、本発明揮散装置の別の実施態様を示す図であり（実施形態２）、吸上揮散体１の同一面上において、絵柄の部分には凹凸加工を施さず、それ以外の部分にのみ微細凹凸加工を施したものである。微細凹凸加工部分に薬液が吸上げられるのに伴って、当該部分が徐々に透明になっていき、全体のトーンが少しずつ変化する視覚効果を与える。
【００２９】
図７は、本発明揮散装置の別の実施態様を示す図である（実施形態３）。吸上揮散体１の一方の表面に、吸上揮散体１の３辺を囲み、周囲よりも一段高く盛り上がった凸部１ｃを設けたうえで、凸部１ｃの内側にのみ微細凹凸加工を施したものである。微細凹凸加工部分に薬液が吸上げられた状態でも、凸部１ｃが堰の役割を果たし、凸部１ｃの外側にある微細凹凸未加工部分１ｄには薬液が漏れることがない。また、吸上揮散体１を容器２から着脱する際などに微細凹凸未加工部分１ｄを手で持つようにすれば、手に薬剤が付着することなく吸上揮散体１に触れることができる。
【００３０】
図８〜１０は、本発明揮散装置の別の実施態様を示す図である。図８は吸上揮散体１が四角錐体の形態である（実施形態４）。底面を除く４面のうち、１又は複数の面に微細凹凸加工を施すことにより薬剤の揮散量を調節することが可能である。
【００３１】
図９は、吸上揮散体１が円柱状体の形態である（実施形態５）。上面と底面に連通する穴を設けて、当該部分にも微細表面加工を施すことにより、揮散面の面積が増大し揮散効率の向上を図ることができる。さらに、連通する穴の表面に絵柄を施したり、穴の内側に物品を配置することもできる。この場合、使用開始時には微細凹凸加工部分が不透明な状態であり、絵柄や物品が視認できないが、微細凹凸加工部分に薬液が吸い上がり透明な状態になるに従って、絵柄や物品が姿を現す視覚効果を付与することが可能である。
【００３２】
図１０は、球状体の吸上揮散体１を複数個重ねて配置したものである（実施形態６）。吸上揮散体１同士が接触している部分を介して薬液が吸い上げられる。
【００３３】
本発明の吸上揮散体は、上記本発明の揮散装置を構成する吸上揮散体と同一のものであるが、その吸上作用のみ、または揮散作用のみを利用するなど、別の態様で使用することができる。吸上揮散体を構成する材質、表面粗さの好適な範囲、微細凹凸加工の加工方法や凹凸形状などは上記と同様である。
【００３４】
図１１は本発明の吸上揮散体の一実施形態（実施形態Ａ）であり、吸上揮散体１自体で薬液を収容する容器を形成している。その内壁面に微細凹凸加工が施されているため、中に薬液を入れると内壁に沿って薬液が吸上げられるとともに薬剤が揮散される。
【００３５】
図１２は、吸上揮散体１を容器２内に収容してその吸上機能のみを利用した形態である（実施形態Ｂ）。吸上揮散体１の表面に微細凹凸加工が施されているため、容器２内の薬液３が上方に吸い上げられる。薬液３が上方に吸い上げられると吸上揮散体１は透明な状態になるため、容器２が透明である場合にも外部から吸上揮散体１が視認できず、美観に影響を与えない揮散装置を作成することができる。そして、吸上揮散体１の上端に別途公知の揮散体を接合すれば、吸上げられた薬液が揮散体に導かれ空間に揮散される。
【００３６】
図１３は、板状体である吸上揮散体１の片面全体に微細凹凸加工を施し、他方の面に絵柄を形成した形態であり、これを台座４で支持したものである（実施形態Ｃ）。この態様では、吸上揮散体１を薬液に浸漬させておらず、スプレーなどで吸上揮散体１表面に薬液を直接噴霧するものである。使用前は全体が不透明であるが（図１３ａ）、薬液で濡れた部分は透明となって、反対の表面に形成された絵柄が鮮明に現れて視覚効果を与える（図１３ｂ）。
【００３７】
製造例１
吸上揮散体の製造：
粗面加工により凹凸を形成した金型を用いて、片面に微細凹凸加工が施されたＰＥＴ製吸上揮散体１〜９を成型した。１〜２はエッチング加工、３〜４は放電加工、５〜９はレーザー加工により微細凹凸を形成した。吸上揮散体１〜７については６０ｍｍ×１００ｍｍ、８、９については７５×８０ｍｍの板状体とした。各吸上揮散体の表面拡大写真を図１４〜２３に示す。
【００３８】
実施例１
製造例１で作製した吸上揮散体４〜９について、ミツトヨ製小型表面粗さ測定機  ＳＪ−２１０を用いて算術平均表面粗さＲａおよび粗さ曲線要素の平均長Ｒｓｍを測定した。ＲａおよびＲｓｍは、吸上揮散体表面の微細凹凸加工を施した部分の任意の９点を測定しその平均値として求めた。なお吸上揮散体６は凹凸形状が木目状であり方向依存性があることから、９点の測定箇所において、木目方向に沿った方向及びこれと直交する方向で測定し、その平均値とした。
また吸上揮散体４〜９を用いて上記実施形態１の揮散装置を作製した。容器に液体香料（粘度１４．１ｍＰａ・ｓ、表面張力３１．１ｍＮ／ｍ）約４ｇを充填し、吸上揮散体の下端が香料に浸るようにして垂直に起立させた。一定時間毎に、吸上揮散体の下端から香料が吸上げられて透明になった部分までの高さを測定し、当初の液面高さとの差を求めた。また併せて容器内の香料の重量を測定し、当初からの減少分を揮散量として求めた。吸上揮散体４〜７については、対照として微細凹凸加工未処理の同形状のＰＥＴ成型体を用い、同様にして吸上高さ及び揮散量を測定した。その結果を表１に示す。また吸上揮散体８〜９の結果を表２に示す。参考として吸上揮散体を使用しなかった場合の揮散量を測定した。
【００３９】
【表１】
2015104409.tif 000003
【００４０】
【表２】
2015104409.tif 000004
【００４１】
この結果から明らかなように、本発明品の吸上揮散体は薬液を吸上げるとともに効率よく薬液を揮散させる効果を示した。
【００４２】
実施例２
上記実施例１で用いた液体香料３質量％、３−メトキシ−３−メチル−１−ブタノール（株式会社クラレ製：商品名「ソルフィット」）６質量％および水８８質量％の芳香液に、ゲル化剤としてカラギーナン３質量％を分散させた。これを約６０℃に加熱分散後、上面開放のカップ型容器に１００ｇを充填し、冷却固化してゲル状の芳香剤を製造した。このゲル状芳香剤に上記製造例１の吸上揮散体８の下端を挿入し、揮散装置を得た。この揮散装置は、ゲルとの接触面より芳香液を吸い上げ、約１か月間空間に芳香を付与することができた。
【００４３】
実施例３
純水に対し１０質量％のエタノールを添加して空間加湿剤を作成した。この空間加湿剤を上記製造例１の吸上揮散体９を用いた上記実施形態１の揮散装置に充填し、加湿器を得た。この加湿器を使用したところ、吸上揮散体の下端から空間加湿剤が吸い上げられ、空間の湿度の上昇が観測された。
【産業上の利用可能性】
【００４４】
本発明の吸上揮散体及びこれを利用した揮散装置は、吸上揮散体の表面に形成された微細凹凸構造により、薬液を吸上げながら、薬剤を揮散させるものであり、揮散体内部への薬剤の吸収保持が生じず、また表面積が大きいため、小型の装置で安定して薬液が吸上げられるとともに、効率良く薬剤が揮散してその薬効を効果的に発現させることができる。
【００４５】
また微細凹凸加工部分は、薬液で濡れることによって透明性が変化するため、インジケーターとして機能するとともに、絵柄や図形などの意匠を施すことによって、動的な視覚効果を付与することが可能であり、美観にも優れる。さらに少ない部品点数で揮散装置を構成することができるため、安価で製造も容易である。
【００４６】
従って、本発明の吸上揮散体及び揮散装置は、芳香剤、消臭剤、防虫剤、殺虫剤、加湿剤などの種々の揮散性薬剤を空間に揮散させるための装置として極めて有利に利用することができるものである。
【符号の説明】
【００４７】
１  …  …  吸上揮散体
１ａ  …  …  微細凹凸加工部分
１ｂ  …  …  意匠
１ｃ  …  …  凸部
１ｄ  …  …  微細凹凸未加工部分
１ｅ  …  …  切り欠け部
２  …  …  容器
２ａ  …  …  蓋体
２ｂ  …  …  支持部材
２ｃ  …  …  開口部
３  …  …  薬液
４  …  …  台座
【図３】
2015104409.tif 000005
【図４】
2015104409.tif 000006
【図６】
2015104409.tif 000007
【図７】
2015104409.tif 000008
【図８】
2015104409.tif 000009
【図９】
2015104409.tif 000010
【図１０】
2015104409.tif 000011
【図１１】
2015104409.tif 000012
【図１２】
2015104409.tif 000013
【図１３ａ】
2015104409.tif 000014
【図１３ｂ】
2015104409.tif 000015
【図１】
2015104409.tif 000016
【図２】
2015104409.tif 000017
【図５】
2015104409.tif 000018
【図１４】
2015104409.tif 000019
【図１５】
2015104409.tif 000020
【図１６】
2015104409.tif 000021
【図１７】
2015104409.tif 000022
【図１８】
2015104409.tif 000023
【図１９】
2015104409.tif 000024
【図２０】
2015104409.tif 000025
【図２１】
2015104409.tif 000026
【図２２】
2015104409.tif 000027
【図２３】
2015104409.tif 000028